(57)【要約】【課題】操作者自身が所望の画像の選択操作をする必要がなく、連写画像の中から所望の画像を確認しやすくできる連写画像処理装置を提供する。【解決手段】検出条件設定手段33により、所望の画像を検出する検出条件を設定する。検出手段34により、連続的に撮影される連写画像の中から、予め設定されている検出条件を満たす画像を検出する。特定情報付与手段35により、検出手段34で検出した画像に特定情報を付与する。特定情報を利用して連写画像の中から所望の画像を確認しやすくする。【選択図】図１
2011234216.tif 000002
【特許請求の範囲】
【請求項１】
所望の画像を検出する検出条件を設定する検出条件設定手段と、
連続的に撮影される連写画像の中から、前記検出条件を満たす画像を検出する検出手段と、
この検出手段で検出された画像に特定情報を付与する特定情報付与手段と
を具備していることを特徴とする連写画像処理装置。
【請求項２】
前記検出条件設定手段は、複数の検出条件を設定するとともに複数の検出条件の中での優先順位を設定し、
前記検出手段は、連続的に撮影される連写画像の中から、検出条件を満たす画像が複数存在する場合に優先順位の高い検出条件を満たす画像を検出する
ことを特徴とする請求項１または２記載の連写画像処理装置。
【請求項３】
撮影シーンを特定する撮影シーン特定手段を具備し、
前記検出条件設定手段は、前記撮影シーン毎に検出条件を設定し、
前記検出手段は、連続的に撮影される連写画像の中から、前記撮影シーン毎に設定されている検出条件を満たす画像を検出する
ことを特徴とする請求項１記載の連写画像処理装置。
【請求項４】
前記撮影シーン特定手段は、連続的に撮影される連写画像から、少なくとも被写体の形状の変化、静止していた被写体の動き、顔の認識、および移動する被写体の検出の撮影シーン特定条件に応じて、撮影シーンを特定する
ことを特徴とする請求項３記載の連写画像処理装置。
【請求項５】
前記撮影シーン特定手段は、予め設定された複数の撮影シーンの中から選択操作可能とする
ことを特徴とする請求項３記載の連写画像処理装置。
【請求項６】
複数の連写画像群の中から、特定情報の付与された画像を同一画面上に表示させる表示制御手段を具備している
ことを特徴とする請求項１ないし５いずれか一記載の連写画像処理装置。
【発明の詳細な説明】
【技術分野】
【０００１】
本発明は、連写画像を処理する連写画像処理装置に関する。
【背景技術】
【０００２】
従来、例えばデジタルスチルカメラなどの撮影装置では、連続的に複数の画像を撮影する連写機能を備えたものがあるが、撮影後に、撮影装置のモニタなどで、大量の連写画像の中から所望の画像を探し出して確認するのに手間がかかる。
【０００３】
そこで、大量の画像がある場合でも画像の確認をしやすくしようとする技術がある。
【０００４】
例えば、大量の連写画像の中から所望の画像を操作者が選択することにより、選択された画像を中心として所定範囲の連写画像をモニタの同一画面上に表示し、連写画像に写っている動体の動きを確認できるようにしている（例えば、特許文献１参照。）。
【０００５】
また、モニタの同一画面上に表示された複数の画像の中から所望の画像を操作者が選択し、選択された画像の位置に撮影日時などの情報を表示するしおり画像を挿入することにより、しおり画像のみをインデックス表示したり、しおり画像の選択によってしおり画像の後の画像を表示するようして、画像の確認をしやすくしている（例えば、特許文献２参照。）。
【０００６】
また、ビデオカメラではあるが、動画の撮影中に操作者の操作でインデックスを挿入することにより、インデックスの位置のフレームである画像をサムネル表示したり、所望のインデックスの画像の前後の画像を同一画面上に表示できるようにしている（例えば、特許文献３参照。）。
【先行技術文献】
【特許文献】
【０００７】
【特許文献１】特開平１０−２７７１９３号公報（第４頁、図３）
【特許文献２】特開２００７−１２４０７１号公報（第１２−１７頁、図１３−２１）
【特許文献３】特開２００３−３３３４８号公報（第４−５頁、図２−５）
【発明の概要】
【発明が解決しようとする課題】
【０００８】
上述のように、大量の画像がある場合に画像の確認をしやすくしようとする技術はあるが、それには、大量の画像の中から所望の画像を操作者自身が探し出して選択する必要があるため、手間がかかる問題がある。
【０００９】
また、動画の撮影中にインデックスを挿入する場合にも、操作者自身でインデックスの挿入操作をする必要があり、しかも、操作ミスによって誤った場所にインデックスを挿入したり、所望の場所にインデックスを挿入できないことがある。
【００１０】
本発明は、このような点に鑑みなされたもので、操作者自身が選択操作する必要がなく、連写画像の中から所望の画像を確認しやすくできる連写画像処理装置を提供することを目的とする。
【課題を解決するための手段】
【００１１】
請求項１記載の連写画像処理装置は、所望の画像を検出する検出条件を設定する検出条件設定手段と、連続的に撮影される連写画像の中から、前記検出条件を満たす画像を検出する検出手段と、この検出手段で検出された画像に特定情報を付与する特定情報付与手段とを具備しているものである。
【００１２】
請求項２記載の連写画像処理装置は、請求項１記載の連写画像処理装置において、前記検出条件設定手段は、複数の検出条件を設定するとともに複数の検出条件の中での優先順位を設定し、前記検出手段は、連続的に撮影される連写画像の中から、検出条件を満たす画像が複数存在する場合に優先順位の高い検出条件を満たす画像を検出するものである。
【００１３】
請求項３記載の連写画像処理装置は、請求項１または２記載の連写画像処理装置において、撮影シーンを特定する撮影シーン特定手段を具備し、前記検出条件設定手段は、前記撮影シーン毎に検出条件を設定し、前記検出手段は、連続的に撮影される連写画像の中から、前記撮影シーン毎に設定されている検出条件を満たす画像を検出するものである。
【００１４】
請求項４記載の連写画像処理装置は、請求項３記載の連写画像処理装置において、前記撮影シーン特定手段は、連続的に撮影される連写画像から、少なくとも被写体の形状の変化、静止していた被写体の動き、顔の認識、および移動する被写体の検出の撮影シーン特定条件に応じて、撮影シーンを特定するものである。
【００１５】
請求項５記載の連写画像処理装置は、請求項３記載の連写画像処理装置において、前記撮影シーン特定手段は、予め設定された複数の撮影シーンの中から選択操作可能とするものである。
【００１６】
請求項６記載の連写画像処理装置は、請求項１ないし５いずれか一記載の連写画像処理装置において、複数の連写画像群の中から、特定情報の付与された画像を同一画面上に表示させる表示制御手段を具備しているものである。
【発明の効果】
【００１７】
請求項１記載の連写画像処理装置によれば、所望の画像を検出する検出条件を予め設定しておくことにより、連続的に撮影される連写画像の中から、検出条件を満たす画像を自動的に検出し、この検出された画像に特定情報を自動的に付与できるため、操作者自身が選択操作する必要がなく、特定情報を利用して連写画像の中から所望の画像を確認しやすくできる。
【００１８】
請求項２記載の連写画像処理装置によれば、請求項１記載の連写画像処理装置の効果に加えて、連続的に撮影される連写画像の中から、検出条件を満たす画像が複数存在する場合に優先順位の高い検出条件を満たす画像を検出するため、所望の画像を検出しやすくできる。
【００１９】
請求項３記載の連写画像処理装置によれば、請求項１または２記載の連写画像処理装置の効果に加えて、連続的に撮影される連写画像の中から、撮影シーン毎に設定されている検出条件を満たす画像を検出するため、所望の画像を検出しやすくできる。
【００２０】
請求項４記載の連写画像処理装置によれば、請求項３記載の連写画像処理装置の効果に加えて、連続的に撮影される連写画像から、少なくとも被写体の形状の変化、静止していた被写体の動き、顔の認識、および移動する被写体の検出の撮影シーン特定条件に応じて、撮影シーンを自動的に特定することができる。
【００２１】
請求項５記載の連写画像処理装置によれば、請求項３記載の連写画像処理装置の効果に加えて、予め設定された複数の撮影シーンの中から、所望の撮影シーンを選択操作して設定することができる。
【００２２】
請求項６記載の連写画像処理装置によれば、請求項１ないし５いずれか一記載の連写画像処理装置の効果に加えて、複数の連写画像群の中から、特定情報の付与された画像を同一画面上に表示させるため、複数の連写画像群の中から所望の画像を確認しやすくできる。
【図面の簡単な説明】
【００２３】
【図１】本発明の一実施の形態を示す連写画像処理装置のブロック図である。
【図２】同上連写画像処理装置を備えた撮影装置のブロック図である。
【図３】同上連写画像処理装置の撮影シーン特定条件と撮影シーンとの関係を示す表である。
【図４】同上連写画像処理装置の撮影シーンを特定するフローチャートである。
【図５】同上連写画像処理装置で撮影シーン毎に特定情報を付与する連写画像を説明する説明図であり、(a)は花火の撮影シーンの場合の説明図、(b)はスポーツの撮影シーンの場合の説明図、(c)はイベントの撮影シーンの場合の説明図、(d)の移動物体の撮影シーンの場合の説明図である。
【発明を実施するための形態】
【００２４】
以下、本発明の一実施の形態を、図面を参照して説明する。
【００２５】
図２に示すように、撮影装置としてのカメラ11は、連写撮影機能を有するデジタルスチルカメラであり、撮影した画像データを、デジタルデータとしてメモリカードなどの記録媒体12に記録するものである。
【００２６】
カメラ11は、レンズ14、ストロボ15、マイクロホン16、ＣＣＤなどの撮像装置17、二重相関サンプリング回路（ＣＤＳ）18、アナログデジタル変換器（Ａ／Ｄ）19、第１の画像メモリ20、画像データ処理部21、第２の画像メモリ22、圧縮伸長回路23、液晶パネル（ＬＣＤ）などの表示装置24、レリーズスイッチやその他の各スイッチを含む操作部25、タイミングジェネレータ（ＴＧ）26、メモリコントローラ27、カメラ11を制御する制御部28、および図示しない電源回路などを備えている。
【００２７】
制御部28は、ＣＰＵ、作業用のＲＡＭ、予め設定された値あるいはプログラムなどを記録するＲＯＭなどで構成されている。この制御部28は、露出を自動制御する自動露出制御機能、焦点を自動制御する自動焦点制御機能、ホワイトバランスを自動制御する自動ホワイトバランス制御機能、被写体の顔を認識する顔認識機能、連続的に撮影する連写機能、連写画像を確認しやすくするための連写画像処理装置の機能、動画を撮影する動画撮影機能などを備えている。なお、顔認識は、目、鼻、口などの形状に特徴のある部位を画像から探し出し、類似度が高ければ顔とみなす手法や、肌の色や目の形といった画像特徴量を検出する統計的解析を用いる手法など、公知の顔検出技術を利用できる。
【００２８】
そして、カメラ11は、レンズ14を通じて取り込まれた被写界光が撮像装置17で電気信号に変換される。この電気信号の変換のタイミングは、制御部28によりタイミングジェネレータ26を通じて制御される。撮像装置17から出力された電気信号は、二重相関サンプリング回路18で信号処理された後、アナログデジタル変換器19でデジタルデータに変換される。このデジタルデータは、画像データとして第１の画像メモリ20に一時記録される。第１の画像メモリ20に一時記録された画像データは、画像データ処理部21で所定の画像処理が施される。この画像処理が施された画像データが、表示装置24で表示されるとともに、第２の画像メモリ22に記録される。
【００２９】
ここで、制御部28は、第１の画像メモリ20に記録された画像データを利用し、自動露出制御および自動焦点制御を行う。すなわち、制御部28は、第１の画像メモリ20に記録された画像データから判定される撮影状況（シーン）および被写体の位置（距離）などに基づいて算出された適正な露光量、レンズ駆動量、ストロボ15のオンオフ、ストロボ光照射のタイミングおよび照射量などにより、被写体に応じた適切な自動露出制御および自動焦点制御を行う。そして、制御部28は、得られた露光量などに基づいてタイミングジェネレータ26のタイミング制御を制御し、得られたレンズ駆動量に応じてレンズ14の駆動を制御し、得られたストロボ15のオンオフ、ストロボ光照射のタイミングや照射量に基づいてストロボ15を制御する。
【００３０】
操作者が操作部25のシャッタボタンであるレリーズスイッチを半押し操作することにより、撮影準備の状態となり、露出および焦点を確定し、さらに、使用者がレリーズスイッチを全押し操作することにより、本撮影の状態となり、必要に応じてストロボ15が制御部28により設定されたタイミングおよび照射量でストロボ光を被写体に向けて照射して被写界の光量不足を補い、撮像装置17は制御部28に制御された所定の露光時間だけ露光を行い、蓄積した電荷による電気信号を出力し、第１の画像メモリ20を介し、画像データ処理部21でホワイトバランス処理、エッジ強調処理、色補正処理、γ補正処理などの処理が施された画像データを第２の画像メモリ22を介して記録媒体12に記録する。
【００３１】
記録媒体12に記録に記録された画像データは、操作者による操作部25の操作で、表示装置24で表示できる。
【００３２】
また、カメラ11は、連写機能を選択することにより、例えば、レリーズスイッチを押し続けている間、予め設定された所定の間隔で連続的に撮影する。連続的に撮影された連写画像の記録媒体12への記録までの基本的な処理は１枚の撮影時と同様であるが、連写画像処理装置の機能によって連写画像を確認しやすくするための処理がなされる。
【００３３】
次に、図１に連写画像処理装置のブロック図を示す。
【００３４】
この連写画像処理装置31は、次のような機能を有している。
【００３５】
撮影シーンを特定する撮影シーン特定手段32の機能。撮影シーンとしては、図３に示すように、例えば、スポーツ、花火、移動物体、イベントなどがある。ただし、これらに限られず、他の撮影シーンでもよい。この撮影シーン特定手段32は、自動で撮影シーンを特定することもできるし、操作部25により手動で設定することもでき、これら自動と手動とを操作部25で選択できるように構成されている。自動の場合には、連続的に撮影される連写画像から、少なくとも被写体の形状の変化、明るさの変化、静止していた被写体の動き、音の変化、顔の認識、および移動する被写体の検出などの撮影シーン特定条件に応じて、撮影シーンを自動的に特定する。この撮影シーン特定条件は、後述する検出条件の少なくとも一部と同様の条件となっている。また、手動の場合には、予め設定された複数の撮影シーンの中から任意に選択可能とする。
【００３６】
連写画像の中から所望の画像を検出する検出条件を設定する検出条件設定手段33の機能。この検出条件設定手段33では、操作部25で、撮影シーン毎に複数の検出条件を設定するとともに、撮影シーン毎に複数の検出条件の中での優先順位を設定する。この撮影シーン毎の検出条件や優先順位は、撮影シーンに最適なものを予め設定しておき、操作者が操作部25で任意に変更できるようにしてもよい。
【００３７】
連続的に撮影される連写画像の中から、検出条件を満たす画像を検出する検出手段34の機能。この検出手段34は、連続的に撮影される連写画像の中から、撮影シーン毎に設定されている検出条件を満たす画像を検出するとともに、検出条件を満たす画像が複数ある場合には優先順位の高い検出条件を満たす画像を検出する。
【００３８】
検出手段34で検出された画像に特定情報（しおり情報）を付与する特定情報付与手段35の機能。特定情報は、画像を特定できればどのような情報でもよく、画像データに付帯情報として記録される撮影条件などと一緒に記録される。
【００３９】
連写画像の中から、特定情報の付与された画像を表示装置24に表示させる表示制御手段36の機能。この表示制御手段36では、複数の連写画像群がある場合、複数の連写画像群の中から、特定情報の付与された画像のみを表示装置24の同一画面上にサムネル表示させたり、特定情報の付与された画像とこの画像を基準とする前後の所定範囲の画像を表示装置24の同一画面上に表示させることもできる。
【００４０】
そして、図３に示すように、検出条件としては、例えば、次のようなものがある。
【００４１】
１．静止していた物体（被写体）が移動した瞬間
２．音が鳴った瞬間（インパクト音）
３．環境音が一番大きい瞬間（音量のピーク）
４．暗→明→暗での明の瞬間（明るさの一定以上の変化があったピーク）
５．動体（被写体）の動きの変化が最大の瞬間
６．動体（被写体）が画角の一定割合を占めた瞬間
７．動体（被写体）が画像の中央（もしくは指定エリア）に入った瞬間
８．顔認識したとき
９．顔の表情に変化（笑顔、泣顔）があった瞬間
１０．被写体に最も焦点が合っている瞬間（他がぼけている）
１１．動体（被写体）の形状が変化した瞬間（花火が開くなど）
ただし、検出条件は、これらに限られず、他の検出条件でもよい。
【００４２】
また、図３には、撮影シーン毎に具体的な撮影シーン例を示すとともに、これら撮影シーン例毎に各検出条件の適用の可否を示している。図３中、「○」は優先して検出情報を付与すべき検出条件、「△」は検出されると考えられる検出条件、「×」は検出されないと考えられる検出条件を示している。
【００４３】
例えば、スポーツの撮影シーンにおいて、ゴルフスイングである場合、検出条件１、２、５、８、９が検出されると考えられるが、ゴルフボールをクラブでインパクトした瞬間が所望の画像であるとすると、検出条件１、２が適し、これら検出条件１、２のいずれか１つに高い優先順位が設定される。
【００４４】
次に、図４のフローチャートおよび図５の説明図を参照して、連写画像処理装置31による特定情報付与処理を説明する。ここでは、撮影シーンを自動で特定する場合を示す。
【００４５】
カメラ11による連写撮影時に、撮像装置17によって撮像されて第１の画像メモリ20に記憶される複数の連写画像から、動体の形状が変化したか（検出条件１１に相当）を判断し（ステップ１）、動体の形状が変化した場合には暗→明→暗での明の明るさが一定以上変化したか（検出条件４に相当）を判断する（ステップ２）。動体の形状の変化だけでは、スポーツ、花火、移動物体およびイベントの各撮影シーンにおいて検出される可能性があるが、暗→明→暗での明の明るさが一定以上変化するのは花火のみであるため、この場合には、花火の撮影シーンと自動的に特定する（ステップ３）。
【００４６】
花火の撮影シーンであると特定すると、予め設定されている花火の撮影シーン用の検出条件および優先順位に基づいて、検出条件を満たす画像を検出し、検出条件を満たす複数の画像がある場合には優先順位の高い検出条件を満たす画像に特定情報を付与する（ステップ４）。すなわち、図５(a)に示すように、花火の撮影シーンの連写画像であった場合、検出条件２〜９、１１が検出されると考えられるが、例えば、花火が開いた瞬間を所望の画像とすると、これらのうち検出条件４、６、７が適しており、特に、検出条件４が最も適しているので、検出条件４を最も高い優先順位に予め設定しておくことにより、花火が開いた瞬間の画像（図５(a)の左から４番目の画像）に特定情報を付与できる。
【００４７】
なお、手動操作で花火の撮影シーンが設定されている場合には、撮影シーンの特定は行わずに、検出条件４で、花火が開いた瞬間の画像を検出し、その画像に特定情報を付与する。
【００４８】
また、複数の連写画像から、動体の形状が変化しないか（ステップ１のＮＯ）、暗→明→暗での明の明るさが一定以上変化しない（ステップ２のＮＯ）場合には、静止していた物体が動いたか（検出条件１に相当）を判断し（ステップ５）、静止していた物体が動いた場合にはマイクロホン16で検出される音（インパクト音）が鳴ったか（検出条件２に相当）を判断する（ステップ６）。静止していた物体が動き、音（インパクト音）も鳴った場合には、スポーツの撮影シーンであると自動的に特定する（ステップ７）。
【００４９】
スポーツの撮影シーンであると特定すると、予め設定されているスポーツの撮影シーン用の検出条件および優先順位に基づいて、検出条件を満たす画像を検出し、検出条件を満たす複数の画像がある場合には優先順位の高い検出条件を満たす画像に特定情報を付与する（ステップ８）。すなわち、図５(b)に示すように、スポーツの撮影シーンの連写画像であった場合、検出条件１〜３、５〜１１が検出されると考えられるが、例えば、ゴルフスイングのインパクトの瞬間を所望の画像とすると、これらのうち検出条件１または２が適しており、これら検出条件１または２を最も高い優先順位に予め設定しておくことにより、ゴルフスイングのインパクトの瞬間の画像（図５(b)の左から３番目の画像）に特定情報を付与できる。また、サッカーのシュートの瞬間や陸上のスタートの瞬間についても、ゴルフスイングのインパクトの瞬間と同様に、サッカーのシュートの瞬間の画像や陸上のスタートの瞬間の画像に特定情報を付与できる。
【００５０】
なお、手動操作でスポーツの撮影シーンが設定されている場合には、撮影シーンの特定は行わずに、検出条件１または２で、例えば、ゴルフスイングのインパクトの瞬間、サッカーのシュートの瞬間、陸上のスタートの瞬間の画像を検出し、その画像に特定情報を付与する。
【００５１】
また、複数の連写画像から、静止していた物体の動きがないか（ステップ５のＮＯ）、音（インパクト音）が鳴らない（ステップ６のＮＯ）場合には、顔認識があり（検出条件８に相当）、かつ、顔の表情に変化（笑顔、泣顔）があるか（検出条件９に相当）、顔の数が一定以上あるか判断する（ステップ９）。顔認識があり、かつ、顔の表情に変化（笑顔、泣顔）があるか、顔の数が一定以上ある場合には、イベントの撮影シーンであると自動的に特定する（ステップ10）。
【００５２】
イベントの撮影シーンであると特定すると、予め設定されているイベントの撮影シーン用の検出条件および優先順位に基づいて、検出条件を満たす画像を検出し、検出条件を満たす複数の画像がある場合には優先順位の高い検出条件を満たす画像に特定情報を付与する（ステップ11）。すなわち、図５(c)に示すように、イベントの撮影シーンの連写画像の場合、検出条件２、３、５〜１１が検出されると考えられるが、例えば、パーティで盛り上がった瞬間を所望の画像とすると、これらのうち検出条件３、７〜８などが適しており、これらのうちの１つの検出条件を最も高い優先順位に予め設定しておくことにより、パーティで盛り上がった瞬間の画像（図５(c)の左から３番目の画像）に特定情報を付与できる。また、運動会の場合についても、パーティと同様に、盛り上がった瞬間の画像に特定情報を付与できる。
【００５３】
なお、手動操作でイベントの撮影シーンが設定されている場合には、撮影シーンの特定は行わずに、検出条件３、７〜８の１つで、例えば、運動会やパーティで盛り上がったときの画像を検出し、その画像に特定情報を付与する。
【００５４】
また、複数の連写画像から、顔認識がないか、顔の数が一定以上ない（ステップ９のＮＯ）場合には、動体の検出があり、動体が画角の一定の割合を占めるか（検出条件６に相当）、動体が画像の中央（もしくは指定エリア）に入るか（検出条件７に相当）を判断する（ステップ12）。動体が最初から動いており、動体が画角の一定の割合を占めるか、動体が画像の中央（もしくは指定エリア）に入る場合には、移動物体の撮影シーンであると自動的に特定する（ステップ13）。
【００５５】
移動物体の撮影シーンであると特定すると、予め設定されている移動物体の撮影シーン用の検出条件および優先順位に基づいて、検出条件を満たす画像を検出し、検出条件を満たす複数の画像がある場合には優先順位の高い検出条件を満たす画像に特定情報を付与する（ステップ14）。すなわち、図５(d)に示すように、移動物体の撮影シーンの連写画像の場合、検出条件２、３、５〜１１が検出されると考えられるが、例えば、電車が画角の一定の割合を占めた瞬間を所望の画像とすると、これらのうち検出条件６が最も適しており、この検出条件６を最も高い優先順位に予め設定しておくことにより、電車が画角の一定の割合を占めた瞬間の画像（図５(d)の左から３番目の画像）に特定情報を付与できる。また、車、走る人が画角の一定の割合を占めた瞬間についても、電車と同様に、車、走る人が画角の一定の割合を占めた瞬間の画像に特定情報を付与できる。
【００５６】
なお、手動操作で移動物体の撮影シーンが設定されている場合には、撮影シーンの特定は行わずに、検出条件６または７で、例えば、車、電車、走る人が画角の一定の割合を占めたときの画像を検出し、その画像に特定情報を付与する。
【００５７】
また、複数の連写画像から、動体の検出がない（ステップ12のＮＯ）場合には、その他の撮影シーンであると特定し（ステップ15）、全ての検出条件１〜１１を用いて所望の画像を特定し、この所望の画像に特定情報を付与する（ステップ16）。
【００５８】
そして、このように特定情報の付与された連写画像が記録媒体12に記録される。
【００５９】
カメラ11のオートプレビューの機能や操作部25による表示操作に応じて、連写画像処理装置31の表示制御手段36により、連写画像の中から、特定情報の付与された画像のみを表示装置24の画面上に表示させることができる。さらに、特定情報の付与された画像とこの画像を基準とする前後の所定範囲の画像を表示装置24の同一画面上に表示させることもできる。また、複数の連写画像群がある場合には、複数の連写画像群の中から、特定情報の付与された画像のみを表示装置24の同一画面上にサムネル表示させることもできる。
【００６０】
このように、連写画像処理装置31によれば、所望の画像を検出する検出条件を予め設定しておくことにより、連続的に撮影される連写画像の中から、検出条件を満たす画像を自動的に検出し、この検出された画像に特定情報を自動的に付与できるため、操作者自身が選択操作する必要がなく、特定情報を利用して連写画像の中から所望の画像を確認しやすくできる。
【００６１】
さらに、連続的に撮影される連写画像の中から、検出条件を満たす画像が複数存在する場合に優先順位の高い検出条件を満たす画像を検出するため、所望の画像を検出しやすくできる。
【００６２】
さらに、連続的に撮影される連写画像の中から、撮影シーン毎に設定されている検出条件を満たす画像を検出するため、所望の画像を検出しやすくできる。
【００６３】
また、連続的に撮影される連写画像から、少なくとも被写体の形状の変化、静止していた被写体の動き、顔の認識、および移動する被写体の検出などの撮影シーン特定条件に応じて、撮影シーンを自動的に特定することができる。あるいは、予め設定された複数の撮影シーンの中から、所望の撮影シーンを選択操作して設定することができる。
【００６４】
また、複数の連写画像群の中から、特定情報の付与された画像を同一画面上に表示させるため、複数の連写画像群の中から所望の画像を確認しやすくできる。
【００６５】
なお、前記実施の形態では、カメラ11が連写画像処理装置31を備えた例を示したが、例えば、パーソナルコンピュータに連写画像処理装置31のソフトウエアを適用し、カメラ11からパーソナルコンピュータに取り込んだ連写画像を処理するようにしてもよい。
【符号の説明】
【００６６】
31    連写画像処理装置
32    撮影シーン特定手段
33    検出条件設定手段
34    検出手段
35    特定情報付与手段
36    表示制御手段
【図１】
2011234216.tif 000003
【図２】
2011234216.tif 000004
【図３】
2011234216.tif 000005
【図４】
2011234216.tif 000006
【図５】
2011234216.tif 000007